(57)【特許請求の範囲】
【請求項１】
固定側の被緊締体に取り付けられた取付けベースに固着されるハンドル本体部と、可動側の被緊締体に取り付けられた受具と、からなり、
前記ハンドル本体部は、前記受具に先端部が係合離脱する係合シャフトと、前記係合シャフトの基端部が中間部に枢着され前記取付けベースに立設された支持ブラケットに基端部が枢着された操作ハンドルと、前記係合シャフトの先端部を前記受具に係合させる方向に付勢する引っ張りばねと、前記取付けベースより立設された取付けブラケットの先端部に枢軸された、前記係合シャフトを押さえる押さえレバーと、前記押さえレバーが前記係合シャフトを押さえる方向に付勢する捩じりばねと、を備え、
前記操作ハンドルが所定の位置まで回動することにより、前記引っ張りばねにより前記係合シャフトが前記受具との係合関係より離脱すると共に前記押さえレバーの一端により付勢され、前記操作ハンドルが所定の位置よりさらに回動することにより、前記操作ハンドルが前記押さえレバーの他端を押して押さえレバーが前記操作ハンドルの回動方向と反対方向に回動し、前記係合シャフトが前記受具から解放される方向に回動することを特徴とするファスナーロック装置。
【請求項２】
固定側の被緊締体に取り付けられた取付けベースに固着されるハンドル本体部と、可動側の被緊締体に取り付けられた受具と、からなり、
前記ハンドル本体部は、前記受具に先端部が係合離脱する係合シャフトと、前記係合シャフトが取付けシャフトで取り付けられ、前記取付けベースに立設された支持ブラケットに基端部が枢着された操作ハンドルと、前記取付けシャフトに緩衝ばねを介して回動可能に取り付けられたカムと、前記カムが当接する傾斜面が形成され前記支持ブラケットに固定されたガイド板と、前記取付けシャフトに巻回され前記係合シャフトを可動側の前記被緊締体が閉まる方向に付勢する捩じりばねと、を備え、
前記操作ハンドルが所定の位置まで回動することにより、前記係合シャフトが前記受具との係合関係より離脱すると共に前記カムがガイド板と当接し、前記操作ハンドルが所定の位置よりさらに回動することにより、前記カムが前記ガイド板の傾斜面に沿って移動し、前記係合シャフトが前記受具から解放される方向に回動することを特徴とするファスナーロック装置。
【請求項３】
固定側の被緊締体に取り付けられた取付けベースに固着されるハンドル本体部と、可動側の被緊締体に取り付けられた受具と、からなり、
前記ハンドル本体部は、前記受具に先端部が係合離脱する係合シャフトと、前記係合シャフトが取付けシャフトで取り付けられ、前記取付けベースに立設された支持ブラケットに基端部が枢着された操作ハンドルと、前記取付けシャフトに緩衝ばねを介して回動可能に取り付けられたカムと、前記カムが当接する傾斜面が形成され前記支持ブラケットに固定されたガイド板と、前記係合シャフトの先端部と前記取付けベースに架橋された引っ張りばねと、を備え、
前記操作ハンドルが所定の位置まで回動することにより、前記係合シャフトが前記受具との係合関係より離脱すると共に前記カムがガイド板と当接し、前記操作ハンドルが所定の位置よりさらに回動することにより前記カムが前記ガイド板の傾斜面に沿って移動し、前記係合シャフトが前記受具から解放される方向に回動することを特徴とするファスナーロック装置。
【請求項４】
前記支持ブラケットには、前記操作ハンドルの回動位置を規制するストッパーが設けられていることを特徴とする請求項１乃至請求項３のいずれか１項に記載のファスナーロック装置。
【請求項５】
前記ハンドル本体部と前記受具との対を複数個設け、前記複数個のハンドル本体部の操作ハンドルの先端部間を連結シャフトで連結してあることを特徴とする請求項１乃至請求項４のいずれか１項に記載のファスナーロック装置。
【発明の詳細な説明】
【０００１】
【発明の属する技術分野】
本発明は、操作ハンドルを倒伏回転させることにより二つの物体や扉を締付け保持するファスナーロック装置に関する。
【０００２】
【従来の技術】
一般に、建物の扉やコンテナの扉等、一方或いは両方の被緊締体を回動または引き寄せることにより、二つの被緊締体を緊締し、緊締した後は、不用意に開かないようにロック機構を備えたファスナーロック装置が使用されている。
このファスナーロック装置の従来例を図１０に示す。同図において、ファスナーロック装置は、固定側となる一方の被緊締体であるフレームＦにハンドル本体部５０が取り付けられ、回動側となる他方の被緊締体である扉Ｔに受具となるロック装置６０が取り付けられている。
【０００３】
ハンドル本体部５０は、操作ハンドル５１と、この操作ハンドル５１と一体化されたハンドル軸５２の両端に、操作ハンドル５１の回動の中心となる回動ピン５３，５３がハンドル軸５２と中心軸をずらして取り付けられている。そして  、この回動ピン５３，５３は、フレームＦに固着された取り付けベース５４，５４の係合孔５４ａ，５４ａに枢着されている。
また、扉Ｔは、フレームＦに、ヒンジ６１，６１，６１により回動可能に取り付けられ、中央部に操作ハンドル５１をロックするロック装置６０が取り付けられている。このロック装置６０は、先端が楔形のガイド部６０ａが形成され、ガイド部６０ａの後方には、操作ハンドル５１が係合する係合凹部６０ｂが形成されている。このロック装置６０の内部に収納されている図示しないばねにより、ロック装置６０が上下方向に動作可能となっている。操作ハンドル５１は、このガイド部６０ａに倣って移動し係合凹部６０ｂに位置することによりロック状態となるものである。このロック状態を解除する場合は、このガイド部６０ａを押し下げることにより、ロック状態を解除できるように構成されている。
【０００４】
このファスナーロック装置にて、扉Ｔを閉じてロックする場合は、扉Ｔを端面に形成された係合板６２，６２がハンドル軸５２の内側位置になるまで閉じてから、操作ハンドル５１を反時計廻り方向に回動させ、そのまま、操作ハンドル５１をロック装置６０に押し込めば、操作ハンドル５１はガイド部６０ａに案内されて係合凹部６０ｂに落ち込み、自動的にロック状態となる。
一方、扉Ｄを開ける場合には、まず図１１（ａ）に示すように、ロック装置６０のガイド部６０ａを押し下げて、操作ハンドル５１のロックを解除する。
次いで、図１１（ｂ）に示すように、操作ハンドル５１を時計方向に回動させると扉Ｔが少し開くが、扉Ｔの係合板６２，６２がハンドル軸５２に当たり、扉Ｔは開かないようになっている。
さらに、図１１（ｃ）に示すように、操作ハンドル５１を反時計方向に１８０度以上回動させると、ハンドル軸５２も回動ピン５３，５３を中心軸として回動するので、扉Ｔの係合板６２，６２がハンドル軸５２に当たらなくなり、扉Ｔは完全に開くことができるようになる。
【０００５】
【発明が解決しようとする課題】
ところで、上述した従来のファスナーロック装置においては、扉Ｔを開けるとき、図１１（ｃ）に示すように、一気に操作ハンドル５１を回動させると、例えば内部の収納物が圧縮されたゴミやビニール袋のように、弾力性を持つ物質が収納されていた場合は、収納物に押されて急激に扉Ｔが開き、その反動で扉Ｔの前で開閉動作する作業者にぶつかってしまい、当たり所が悪いと作業者がけがをしてしまう場合があった。
【０００６】
そこで、このような事故を防止するため、コンテナ等には、図１２に示すように、ペダル装置７０が取り付けられたものがあった。このペダル装置７０では、ペダル７１に突設された係合ピン７２が、扉Ｔの下部に形成され、係合ピン７２が遊嵌できる大きさの楕円形の係合孔７３に係合することにより、開きかけた扉Ｔが一旦止められる。そして、扉Ｔの反動が無くなったところで、ペダル７１を踏み込んで係合ピン７２を係合孔７３から外せば、扉Ｔが完全に解放するように構成されたものである。
しかしながら、このペダル装置７０は、扉Ｔを開ける操作ハンドル５１とは別の箇所に取り付けてあり、作業者は両方の操作をする必要があるで、手間がかかるという問題があり、さらに、操作ハンドル５１とペダル装置７０は別体であるため、余分なコストがかかるという問題も発生した。
【０００７】
本発明は、このような事情に鑑みなされたもので、二つの被緊締体を手間がかからず簡単に、しかも安全に開閉できるファスナーロック装置を提供するものである。
【０００８】
【課題を解決するための手段】
前記目的を達成するため、本発明は、固定側の被緊締体に取り付けられた取付けベースに固着されるハンドル本体部と、可動側の被緊締体に取り付けられた受具と、からなり、前記ハンドル本体部は、前記受具に先端部が係合離脱する係合シャフトと、前記係合シャフトの基端部が中間部に枢着され前記取付けベースに立設された支持ブラケットに基端部が枢着された操作ハンドルと、前記係合シャフトの先端部を前記受具に係合させる方向に付勢する引っ張りばねと、前記取付けベースより立設された取付けブラケットの先端部に枢軸された、前記係合シャフトを押さえる押さえレバーと、前記押さえレバーが前記係合シャフトを押さえる方向に付勢する捩じりばねと、を備え、前記操作ハンドルが所定の位置まで回動することにより、前記引っ張りばねにより前記係合シャフトが前記受具との係合関係より離脱すると共に前記押さえレバーの一端により付勢され、前記操作ハンドルが所定の位置よりさらに回動することにより、前記操作ハンドルが前記押さえレバーの他端を押して押さえレバーが前記操作ハンドルの回動方向と反対方向に回動し、前記係合シャフトが前記受具から解放される方向に回動する構成としたものである。
【００１０】
また、固定側の被緊締体に取り付けられた取付けベースに固着されるハンドル本体部と、可動側の被緊締体に取り付けられた受具と、からなり、前記ハンドル本体部は、前記受具に先端部が係合離脱する係合シャフトと、前記係合シャフトが取付けシャフトで取り付けられ、前記取付けベースに立設された支持ブラケットに基端部が枢着された操作ハンドルと、前記取付けシャフトに緩衝ばねを介して回動可能に取り付けられたカムと、前記カムが当接する傾斜面が形成され前記支持ブラケットに固定されたガイド板と、前記取付けシャフトに巻回され前記係合シャフトを可動側の前記被緊締体が閉まる方向に付勢する捩じりばねと、を備え、前記操作ハンドルが所定の位置まで回動することにより、前記係合シャフトが前記受具との係合関係より離脱すると共に前記カムがガイド板と当接し、前記操作ハンドルが所定の位置よりさらに回動することにより、前記カムが前記ガイド板の傾斜面に沿って移動し、前記係合シャフトが前記受具から解放される方向に回動する構成としたものである。
【００１１】
また、固定側の被緊締体に取り付けられた取付けベースに固着されるハンドル本体部と、可動側の被緊締体に取り付けられた受具と、からなり、前記ハンドル本体部は、前記受具に先端部が係合離脱する係合シャフトと、前記係合シャフトが取付けシャフトで取り付けられ、前記取付けベースに立設された支持ブラケットに基端部が枢着された操作ハンドルと、前記取付けシャフトに緩衝ばねを介して回動可能に取り付けられたカムと、前記カムが当接する傾斜面が形成され前記支持ブラケットに固定されたガイド板と、前記係合シャフトの先端部と前記取付けベースに架橋された引っ張りばねと、を備え、前記操作ハンドルが所定の位置まで回動することにより、前記係合シャフトが前記受具との係合関係より離脱すると共に前記カムがガイド板と当接し、前記操作ハンドルが所定の位置よりさらに回動することにより前記カムが前記ガイド板の傾斜面に沿って移動し、前記係合シャフトが前記受具から解放される方向に回動する構成としたものである。
【００１２】
また、前記支持ブラケット先端部には、前記操作ハンドルの回動位置を規制するストッパーが設けられていることを特徴とするものである。
さらに、前記ハンドル本体部と前記受具との対を複数個設け、前記複数個のハンドル本体部の操作ハンドルの先端部間を連結シャフトで連結してあることを特徴とするものである。
【００１３】
【発明の実施の形態】
以下、本発明に係るファスナーロック装置の実施の形態を図に基づいて説明する。
図１は、本発明のファスナーロック装置の第１の実施の形態を示す側面図、図２は、図１の平面断面図、図３（ａ）は、図１のファスナーロック装置の開き動作の説明図、図３（ｂ）は、図１のファスナーロック装置のロック動作の説明図、図４は、本発明のファスナーロック装置の第２の実施の形態を示すもので、（ａ）は平面断面図、（ｂ）は側面図、図５は、図４のファスナーロック装置のロック解放動作の説明図、図６は、図４のファスナーロック装置のロック動作の説明図、図７は、本発明のファスナーロック装置の第３の実施の形態を示すもので、（ａ）は平面断面図、（ｂ）は側面図、図８は、図７のファスナーロック装置のロック解放動作の説明図、図９は、本発明のファスナーロック装置の第４の実施の形態を示すもので、（ａ）は平面断面図、（ｂ）は側面図、である。
【００１４】
本発明に係るファスナーロック装置の第１の実施の形態であるファスナーロック装置Ａは、図１，図２に示すように、主として固定され一方の被緊締体となるフレーム１に取付けベース２を介して固着されたハンドル本体部１０と、主として移動側となる他方の被緊体の扉３に固着される受具４と、からなっている。この扉３は図示しないヒンジにより大きな曲率半径で回動動作をするものであるが、図示した範囲では、矢印方向へのスライド動作に近いものである。そして、この扉３は、図示しない圧縮されたゴミ等の収容物の反発力により開く方向（図１の矢印方向）へ付勢される場合がある。また、このファスナーロック装置Ａは、図１に示すように、通常の場合は、２組のファスナーロック装置Ａが連結シャフト５と結合シャフト７により連結されて使用されるが、単独でもファスナーロック装置として使用できるものである。
【００１５】
このファスナーロック装置Ａのハンドル本体部１０は、フレーム１に固着される取付けベース２に、操作ハンドル１１が枢着される支持ブラケット６，６が立設されており、この支持ブラケット６，６の孔に支軸１２が貫通され、支軸１２に操作ハンドル１１の基端部が枢着されるものである。また、操作ハンドル１１の中間位置には、前記受具４に先端の係合部１３ａが係合離脱する係合シャフト１３が取付けシャフト１４で取り付けられている。そして、操作ハンドル１１は、図１に示すように、基端部から中間部にかけて二股部１１ａが形成され、この二股部１１ａの間で係合シャフト１３が自在に回動できるように構成されている。さらに、支持ブラケット６，６には、操作ハンドル１１の回動範囲を規制するために、先端側にストッパー６ａ，６ａが形成されており、操作ハンドル１１の二股部１１ａが両側の支持ブラケット６，６のストッパー６ａ，６ａに当たるように構成されている。
【００１６】
また、図１に示すように、ファスナーロック装置Ａを２組使用する場合は、ファスナーロック装置Ａが並列に配置し、それぞれの操作ハンドル１１，１１の間を連結シャフト５で連結し、さらにそれぞれの係合シャフト１３，１３の先端部の間を結合シャフト７で連結している。連結シャフト５は、直接操作ハンドル１１の先端部に溶接等で固着されているが、結合シャフト７は、係合シャフト１３の先端に取付けブロック８を取付け、この取付けブロック８に結合シャフト７を溶接等で固着したものである。
【００１７】
このように構成されたファスナーロック装置Ａは、図２（ａ）に示すように、ロック位置では、係合シャフト１３の係合部１３ａが受具４の係合凹部４ａに係合している。
次いで、図２（ｂ）に示すように、操作ハンドル１１を反時計廻り方向に回動させた場合は、係合シャフト１３の先端部の係合部１３ａは、そのまま左方向に水平に移動するので、係合部１３ａは受具４の係合凹部４ａから外れる。そこで、作業者は、結合シャフト７を時計廻り方向へ回動させ、係合部１３ａを完全に係合凹部４ａとの係合位置から外し、扉３を解放するものである。
【００１８】
ところが、例えば、収納物が圧縮されたゴミ等の場合は弾力性があり、常に内側より扉３が押圧されているので、操作ハンドル１１を反時計方向に回動させると扉３が開くが、受具４で係合部１３ａが開く方向に強く引っ張られるようになるので、図２（ｃ）に示すように受具４と係合部１３ａの係合は外れない。そして、この状態のまま扉３が開くので、受具４に係合している係合部１３ａも引っ張られて操作ハンドル１１を強制的に反時計廻り方向に回動させる。従って、操作ハンドル１１はストッパー６ａに当る位置まで回動するが、ストッパー６ａにより回動を止められるので、扉３も少し開いた位置で一旦止められ、急激な全面解放が阻止される。
そこで、作業者は、図３（ａ）に示すように、一旦、扉３を締める方向に少し戻してやると、受具４と係合部１３ａの係合関係が外れるので、結合シャフト７を時計廻り方向へ回動させ、係合部１３ａを完全に係合凹部４ａとの係合位置から外し、扉３を解放させるものである。
【００１９】
次に、ファスナーロック装置Ａでフレーム１、扉３をロックする場合は、図３（ｂ）に示すように、先ず、結合シャフト７を反時計廻り方向に回動させて、係合シャフト１３の係合部１３ａを受具４の係合凹部４ａに位置させてやる。この状態で操作ハンドル１１を時計廻り方向へ回動させてやると、操作ハンドル１１につれて係合シャフト１３の係合部１３ａは、そのまま右方向へ水平移動するので、操作ハンドル１１がロック位置まで回動すると、係合部１３ａと係合凹部４ａが完全に係合し、ロック状態となる。
【００２０】
上述したように、ファスナーロック装置Ａは、扉３を開く場合に、内側から押圧されている場合でも、ストッパー６ａの作用により急激な扉３の解放が防止され、安全に扉３を開くことが可能となる。
また、扉３が内部から押圧されていない場合は、図２（ｂ）に示すように結合シャフト７により簡単にロックを外し扉３を開くことができるのは勿論である。
そして、扉３を閉じる場合も、結合シャフト７により簡単に、しかも確実にロックができるものである。
【００２１】
次に、本発明のファスナーロック装置の第２の実施の形態であるファスナーロック装置Ｂを図４、図５に基づいて説明する。なお、上述したファスナーロック装置の第１の実施の形態と同一部材には同一符号を付している。
このファスナーロック装置Ｂは、図４に示すように、主として固定側となる一方の被緊体のフレーム１に取付けベース２を介して固着されたハンドル本体部２０と、主として移動側となる他方の被緊体の扉３に固着される受具４と、からなっている。このファスナーロック装置Ｂもファスナーロック装置Ａと同様に、通常の場合は２組のファスナーロック装置Ｂが連結シャフト５により連結されて使用されるが、単独でもファスナーロック装置Ｂとして使用できるのは勿論である。また、扉３もファスナーロック装置Ａと同様に、図示された範囲では、ほぼスライド動作をするものと見なせるものである。
【００２２】
このファスナーロック装置Ｂのハンドル本体部２０は、フレーム１に固着される取付けベース２に、操作ハンドル２１が枢着される支持ブラケット６，６が立設されており、この支持ブラケット６，６の孔に支軸２２が貫通され、この支軸２２に操作ハンドル２１の基端部が枢着されるものである。また、操作ハンドル２１の中間位置には、受具４に先端の係合部２３ａが係合離脱する係合シャフト２３が取付けシャフト２４で取り付けられている。そして、取付けベース２の先端部には取付けブラケット９が立設されており、この取付けブラケット９の先端部には回動可能に押さえレバー２５が取り付けられ、この押さえレバー２５は、捩じりばね２６により反時計廻り方向に付勢されている。さらに、支持ブラケット６，６には、操作ハンドル２１がゴミ等の収容物の反発力により急激に扉３を解放しないように、ストッパー６ａ，６ａが設けられている。
【００２３】
また、取付けブラケット２９の先端部と係合シャフト２３の間には、係合シャフト２３を時計廻り方向へ回動させるために引っ張りばね２７が架橋されている。この引っ張りばね２７と前記捩じりばね２６は、係合シャフト２３をそれぞれ反対方向に付勢するように作用するが、捩じりばね２６の付勢力が引っ張りばね２７より強くなるように設定されている。そして、押さえレバー２５は、後述するように、係合シャフト２３が受具４との係合が外れて引っ張りばね２７により時計方向へ回動したときに、側面視形状が略Ｌ字状の一端側２５ａが係合シャフト２３の上面に当接して係合シャフト２３を付勢し、二股に分岐された他端側２５ｂは、操作ハンドル２１の二股部２１ａに所定角度の回動位置で背面に当接するようになっている。
【００２４】
このように構成された扉用ロックハンドル装置Ｂは、図５（ａ）に示すように、ロック位置では、係合シャフト２３の係合部２３ａが受具４の係合凹部４ａに係合している。
次いで、図５（ｂ）に示す操作ハンドル２１が反時計廻り方向に回動途中において、係合シャフト２３の係合部２３ａが受具４の係合凹部４ａから外れる状態になる。そのため係合シャフト２３は、引っ張りばね２７に引っ張られて時計廻り方向に回動しようとするが、反対側から捩じりばね２６により付勢された押さえレバー２５が押圧するようになり、しかも、捩じりばね２６の付勢力が引っ張りばね２７の付勢力より大きいので、時計廻り方向に回動することができない。
【００２５】
次いで、操作ハンドル２１をさらに回動させ、図５（ｃ）に示すように、操作ハンドル２１をストッパ６ａに当たる位置まで回動させると、操作ハンドル２１の背面が押さえレバー２５の他端面２５ｂに当接し、他端面２５ｂを下面に押し下げるように作用するので、押さえレバー２５は時計廻りに回動し、押さえ面２５ａも時計廻りに回動する。すると、押さえ面２５ａにより下面に押圧されていた係合シャフト２３は、引っ張りばね２７に引っ張られて上方に回動し、受具４との係合関係から完全に解放される。そして、操作ハンドル２１をこの状態にしてストッパーピン２８を取付けブラケット９のストッパー孔（図示せず）に差し込むと、この解放状態が保持され、フレーム１と扉３はオープン状態となる。
【００２６】
次に、ファスナーロック装置Ｂでフレーム１、扉３をロックする場合は、図６（ａ）に示すように、前記ストッパーピン２８を取付けブラケット９のストッパー孔（図示せず）から引き抜き、操作ハンドル２１を時計廻り方向に戻してやる。すると、押さえレバー２５は操作ハンドル２１が時計廻り方向へ回動するにつれて、捩じりばね２６の付勢力が回復するで、引っ張りばね２７に打ち克って係合シャフト２３を下方へ押し下げる。そうすると、図６（ｂ）に示すように、係合シャフト２３の係合部２３ａは、受具４の係合凹部４ａに自動的に位置するようになり、操作ハンドル２１の回動につれて係合シャフト２３の係合部２３ａは、そのまま右方向へ水平移動するので、操作ハンドル２１がロック位置まで回動すると、係合部２３ａと係合凹部４ａが完全に係合し、ロック状態となる。
【００２７】
上述したように、ファスナーロック装置Ｂは、フレーム１、扉３をロックする場合に、わざわざ係合シャフト２３を下方へ押し下げる必要がなく、操作ハンドル２１を時計廻り方向へ回動すれば、捩じりばね２６の作用で自動的に係合シャフト２３の係合部２３ａが受具４の係合凹部４ａに係合するので、係合させる手間が省けるので便利になる。
また、ロック解除する場合も、操作ハンドル２１の回動につれて係合シャフト２３の係合部２３ａが受具４の係合凹部４ａから自動的に係合が解除され、手で解除する手間が省けるで便利になる。
【００２８】
次に、本発明のファスナーロック装置の第３の実施の形態を図７、図８に基づいて説明する。
このファスナーロック装置Ｃは、図７に示すように、主として固定側となる一方の被緊体のフレーム１に取付けベース２を介して固着されたハンドル本体部３０と、主として移動側となる他方の被緊体の扉３に固着される受具４と、からなっている。このファスナーロック装置Ｃもファスナーロック装置Ａと同様に、通常の場合は２組のファスナーロック装置Ａが連結シャフト５により連結されて使用されるが、単独でもファスナーロック装置Ｃとして使用できるのは勿論である。また、扉３もファスナーロック装置Ａと同様に、図示された範囲ではほぼスライド動作をするものと見なせるものである。
【００２９】
このハンドル本体部３０は、フレーム１に固着される取付けベース２に、操作ハンドル２１が枢着される支持ブラケット６が立設され、この支持ブラケット６の孔に支軸３２が貫通され、この支軸３２に操作ハンドル３１の基端部が枢着されるものである。また、操作ハンドル３１の端部には、受具４に先端の係合部３３ａが係合離脱する係合シャフト３３が回動可能に取付けシャフト３４で取り付けられている。この係合シャフト３３は、取付けシャフト３４と一体に回動するようにキー３４ａを介して取付けシャフト３４に嵌着されている。
【００３０】
また、前記取付けシャフト３４には、取付けシャフト３４の外側にスリーブ３５がキー３５ａにより嵌着されており、取付けシャフト３４と一体に回動するようになっている。このスリーブ３５の外周には捩じりばね３６が巻回されており、この捩じりばね３６の一端は操作ハンドル３１に固定され、他端はスリーブ３５の端部に固定され、係合シャフト３３を反時計方向に付勢するように構成されている。
【００３１】
さらに、取付けシャフト３４には、前記スリーブ３５に接するようにカム板３７が回動可能に取り付けられている。このカム板３７は、ガイド板３８のガイド面３８ａに当接するカム３７ａと取付けシャフト３４に対して回動可能なスリーブ３７ｂから構成されており、このスリーブ３７ｂの外周には，緩衝ばね３９が巻回されている。この緩衝ばね３９は、一端が取付けシャフト３４に固定されたスリーブ３５に固定され、他端はカム板３７の端部に固定されて、カム３７ａを反時計廻り方向へ付勢するようにしている。従ってこの緩衝ばね３９と前記捩じりばね３６とは同方向に作用するが、緩衝ばね３９で、係合シャフト３３の動作とカムカム３７ａの動作の間に緩衝を与えるものである。この緩衝ばね３９は、例えば、操作ハンドル３１がロック状態にあり、扉３がカム３７ａがガイド面３８ａに当接しない位置で無理やりにこじ開けられた場合にカム３７ａが破壊する虞があるので、これを防止するものである。このロック状態から脱出するためには、緩衝ばね３９の緩衝作用を利用して、扉３を強制的にロック位置に戻し、操作ハンドル３１を反時計廻り方向へ回動することにより、ロック状態を解除できる。
【００３２】
このように構成されたファスナーロック装置Ｃの動作を説明すると、先ず、図８（ａ）に示すように、操作ハンドル３１がロック位置では、係合シャフト３３の係合部３３ａが受具４の係合凹部４ａに係合している。
次いで、図８（ｂ）に示す操作ハンドル３１が反時計廻り方向に回動途中においては、係合シャフト３３の係合部３３ａが受具４の係合凹部４ａから外れる状態になるが、捩じりばね３６により反時計方向に付勢されるので、係合シャフト３３は図において下方に下げられる。また、この位置では、カム板３７のカム３７ａがガイド板３８のガイド面３８ａに当接するようになり、操作ハンドル３１の回動につれてカム３７ａはガイド面３８ａに沿って上方へ移動するようになる。
【００３３】
次いで、図８（ｃ）に示すように、操作ハンドル３１を最大回動位置まで回動すると、この回動に伴ってカム３７ａがガイド板３８のガイド面３８ａを移動するので、時計廻りの回転力が生じ、この回転力は捩じりばね３６の付勢力より大きいので、係合シャフト３３は捩じりばね３６の付勢力に抗して時計方向へ回動するようになる。このときに、ストッパーピン３９を支持ブラケット６に形成されたピン孔（図示せず）と操作ハンドル３１に形成されたストッパー孔（図示せず）に差し込むと、支持ブラケット６と操作ハンドル３１が固定されて、この状態が保持され、移動側の扉３を開くことが可能となる。
【００３４】
次に、ファスナーロック装置Ｃでフレーム１、扉３をロックする場合は、前記ストッパーピン３９を支持ブラケット６のピン孔から引き抜き、操作ハンドル３１を戻してやると、操作ハンドル３１が戻るにつれて、カム板３７のカム３７ａがガイド板３８のガイド面３８ａに沿って戻るので、カム板３７が取り付けられている係合シャフト３３も反時計廻り方向へ回動する。さらに、操作ハンドル３１を時計廻り方向へ戻してやると、カム板３７のカム３７ａがガイド板３８のガイド面３８ａから外れてしまうが、係合シャフト３３は捩じりばね３６によって反時計廻り方向に付勢されているので、図面の下方へ移動する。すると、係合シャフト３３の係合部３３ａは、受具４の係合凹部４ａに自動的に位置するようになり、操作ハンドル３１がロック位置では、係合部３３ａと係合凹部４ａが完全に係合し、ロック状態となる。そして、この位置で前記ストッパーピン３９を支持ブラケット６のストッパー孔（図示せず）と操作ハンドル３１のストッパー孔（図示せず）に差し込むと、ロック状態が保持されるものである。
【００３５】
このように構成されたファスナーロック装置Ｃは、、ファスナーロック装置Ｂと同様にフレーム１、扉３をロックする場合に、わざわざ係合シャフト３３を下方へ押し下げる必要がなく、操作ハンドル３１をロック方向へ回動すれば、自動的に係合シャフト３３の係合部３３ａが受具４の係合凹部４ａに係合するので、係合させる手間が省くことができ便利になる。
また、ロック解除する場合も、操作ハンドル３１の回動につれて係合シャフト３３の係合部３３ａが受具４の係合凹部４ａから自動的に係合が解除され、手で解除する手間が省けるで便利になる。
【００３６】
次に、本発明のファスナーロック装置の第４の実施の形態を図９に基づいて説明する。
このファスナーロック装置Ｄは、主として固定側となる一方の被緊体のフレーム１に取付けベース２を介して固着されたハンドル本体部４０と、主として移動側となる他方の被緊体の扉３に固着される受具４と、からなっている。このハンドル本体部４０は、フレーム１に固着される取付けベース２に、操作ハンドル４１が枢着される支持ブラケット６が立設され、この支持ブラケット６の孔に支軸４２が貫通され、この支軸４２に操作ハンドル４１の基端部が枢着されるものである。また、操作ハンドル４１の中間寄りの位置には、受具４に先端の係合部４３ａが係合離脱する係合シャフト４３が取付けシャフト４４で取り付けられている。
【００３７】
また、前記取付けシャフト４４は、操作ハンドル４１に回動可能に軸着されており、係合シャフト４３の基端部がこの取付けシャフト４４と一体に可動できるようキー４４ａにより嵌着されている。そして、係合シャフト４３の基端部に隣接して取付けシャフト４４の外周には緩衝ばね４５が巻回されており、この緩衝ばね４５の一端は取付けシャフト４４に固定され、他端はカム４６に固定されて、カム４６を反時計廻り方向へ付勢している。さらに、カム４６は、操作ハンドル４１が所定位置まで回動すると、前記ファスナーロック装置Ｃのガイド板３８と同様になだらかなガイド面が形成されたガイド板４８に当接するように構成されている。
【００３８】
また、この扉用ロックハンドル装置Ｄには、係合シャフト４３の係合部４３ａにばね用突起４３ｂが形成されて引っ張りばね４７の一端が固定されており、引っ張りばね４７の他端は取付けベース２に形成されたバネ用突起２ａに固定され、係合シャフト４３を常時反時計廻り方向へ付勢している。
【００３９】
また、このファスナーロック装置Ｄは、図９（ｂ）に示すように、ファスナーロック装置Ｄと同様の機構を持つファスナーロック装置Ｄ′が連結シャフト５により連結されている。そして、このファスナーロック装置Ｄ′には、ロック状態およびオープン状態を保持するためのストッパーピン４９がハンドル枠に取り付けられており、常にばね４９ａにより内側に付勢されている。そのため操作ハンドル４１を回動する場合は、一旦、手でストッパーピン４９を外側に引っ張る必要あるが、ロック位置またはオープン位置では手を放すと、支持ブラケットに形成したストッパー孔（図示せず）と操作ハンドル４１のストッパー孔（図示せず）に自動的に係合するようになっている。
【００４０】
このように構成されたファスナーロック装置Ｄは、ファスナーロック装置Ａ、ファスナーロック装置Ｂやファスナーロック装置Ｃと同様に、フレーム１、扉３をロックする場合に、わざわざ係合シャフト４３を下方へ押し下げる必要がなく、操作ハンドル４１を時計廻り方向へ回動すれば、自動的に係合シャフト４３の係合部４３ａが受具４の係合凹部４ａに係合するので、係合させる手間を省くことができるので便利になり、しかも、使用しているカム機構のトラブルも防止できるものである。
【００４１】
また、本発明は、上述した実施の形態に限定されるものではなく、特許請求の範囲内において様々な態様が可能なことは勿論である。
例えば、ファスナーロック装置として、ファスナーロック装置Ａ、ファスナーロック装置Ｂおよびファスナーロック装置Ｃをそれぞれ単独で使用することが可能であることは勿論のこと、それぞれ複数使用することも可能であるし、異なった組み合わせで使用することも可能である。
【００４２】
【発明の効果】
以上の説明から明らかなように本発明によれば、固定側の被緊締体に取り付けられた取付けベースに固着されるハンドル本体部と、可動側の被緊締体に取り付けられた受具と、からなり、前記ハンドル本体部は、前記受具に先端部が係合離脱する係合シャフトと、前記係合シャフトの基端部が中間部に枢着され前記取付けベースに立設された支持ブラケットに基端部が枢着された操作ハンドルと、前記係合シャフトの先端部を前記受具に係合させる方向に付勢する引っ張りばねと、前記取付けベースより立設された取付けブラケットの先端部に枢軸された、前記係合シャフトを押さえる押さえレバーと、前記押さえレバーが前記係合シャフトを押さえる方向に付勢する捩じりばねと、を備え、前記操作ハンドルが所定の位置まで回動することにより、前記引っ張りばねにより前記係合シャフトが前記受具との係合関係より離脱すると共に前記押さえレバーの一端により付勢され、前記操作ハンドルが所定の位置よりさらに回動することにより、前記操作ハンドルが前記押さえレバーの他端を押して押さえレバーが前記操作ハンドルの回動方向と反対方向に回動し、前記係合シャフトが前記受具から解放される方向に回動することにより、一方の被緊締体と他方の被緊締体を締めつけてロックする場合は、操作ハンドルを戻すと、前記係合シャフトの係合部が自動的に前記受具の係合部に係合するので、手等で係合させてやる必要がなくなり、しかもロックを解除する場合でも操作ハンドルを回動するだけで、前記係合シャフトの係合部が自動的に前記受具の係合部から外れるので、手等で解除させてやる必要がなくなり、余分な手間を省くことができると共に安全に被緊締体の開閉作業ができるという効果を奏する。
【００４４】
また、固定側の被緊締体に取り付けられた取付けベースに固着されるハンドル本体部と、可動側の被緊締体に取り付けられた受具と、からなり、前記ハンドル本体部は、前記受具に先端部が係合離脱する係合シャフトと、前記係合シャフトが取付けシャフトで取り付けられ、前記取付けベースに立設された支持ブラケットに基端部が枢着された操作ハンドルと、前記取付けシャフトに回動可能に取り付けられたカムと、前記カムが当接するなだらかな傾斜面が形成されたガイド板と、前記取付けシャフトに巻回され前記係合シャフトを可動側の前記被緊締体が閉まる方向に付勢する捩じりばねと、を備え、前記操作ハンドルが所定の位置まで回動することにより前記係合シャフトが前記受具との係合関係より離脱すると共に前記カムがガイド板と当接し、前記操作ハンドルが所定の位置よりさらに回動することにより前記カムが前記ガイド板の傾斜面に沿って移動し、前記係合シャフトが前記受具から解放される方向に回動する構成とし、さらに、前記係合シャフトの先端部と前記取付けベースの前記操作ハンドルの基端部近傍に架橋された引っ張りばねを備えたことにより、操作ハンドルを戻す場合に、前記係合シャフトの係合部が自動的に前記受具の係合部に係合するので、手等で係合させてやる必要がなくなり、余分な手間を省くことができると共に、カムが破損することを防止できるという効果を奏する。
【図面の簡単な説明】
【図１】本発明のファスナーロック装置の第１の実施の形態を示す側面図である。
【図２】図１の平面断面図である。
【図３】（ａ）は図１のファスナーロック装置の開き動作の説明図であり、（ｂ）はロック動作の説明図である。
【図４】本発明のファスナーロック装置の第２の実施の形態を示すもので、（ａ）は平面断面図、（ｂ）は側面図である。
【図５】図４のファスナーロック装置のロック解放動作の説明図である。
【図６】図４のファスナーロック装置のロック動作の説明図である。
【図７】本発明のファスナーロック装置の第３の実施の形態を示すもので、（ａ）は平面断面図、（ｂ）は側面図である。
【図８】図７のファスナーロック装置のロック解放動作の説明図である。
【図９】本発明のファスナーロック装置の第４の実施の形態を示すもので、（ａ）は平面断面図、（ｂ）は側面図である。
【図１０】従来のファスナーロック装置を示す斜視図である。
【図１１】従来のファスナーロック装置の動作の説明図である。
【図１２】従来のファスナーロック装置のペダル式の防止装置を示す斜視図である。
【符号の説明】
Ａ      ファスナーロック装置
Ｂ      ファスナーロック装置
Ｃ      ファスナーロック装置
Ｄ      ファスナーロック装置
１      フレーム
２      取付けベース
３      扉
４      受具
５      連結シャフト
６      支持ブラケット
６ａ    ストッパー
７      結合シャフト
９      取付けブラケット
１０      ハンドル本体部
１１      操作ハンドル
１３      係合シャフト
１４      取付けシャフト
２０      ハンドル本体部
２１      操作ハンドル
２３      係合シャフト
２４      取付けシャフト
２５      押さえレバー
２６      捩じりばね
２７      引っ張りばね
３０      ハンドル本体部
３１      操作ハンドル
３３      係合シャフト
３４      取付けシャフト
３６      捩じりばね
３７ａ    カム
３８      ガイド板
３９      緩衝ばね
４０      ハンドル本体部
４１      操作ハンドル
４３      係合シャフト
４４      取付けシャフト
４５      緩衝ばね
４６      カム
４７      引っ張りばね
４８      ガイド板
【図１】
0004260281.tif 000002
【図２】
0004260281.tif 000003
【図３】
0004260281.tif 000004
【図４】
0004260281.tif 000005
【図５】
0004260281.tif 000006
【図６】
0004260281.tif 000007
【図７】
0004260281.tif 000008
【図８】
0004260281.tif 000009
【図９】
0004260281.tif 000010
【図１０】
0004260281.tif 000011
【図１１】
0004260281.tif 000012
【図１２】
0004260281.tif 000013